(57)【特許請求の範囲】
【請求項１】
映像を含むストリーム情報を格納する第一のファイルと、再生手順情報を格納する第二のファイルとから構成されるフォーマットのデータを記憶する記録媒体を制御する記録制御部と、
前記第一のファイルからストリーム情報を読み出すストリーム情報読み出し手段と、
前記第二のファイルから再生手順情報を読み出す管理情報読み出し手段と、
前記読み出された再生手順情報を前記読み出されたストリーム情報のフォーマット構成に基づいて変換する再生手順変換手段と、
前記読み出されたストリーム情報内に有する所定の記録領域内に、前記変換作成された再生手順情報を挿入して、同一のファイルとして合成するストリーム情報合成手段と、
前記ストリーム情報合成手段で作成されたファイルを保存する情報保存手段と、
を備えることを特徴とする情報記録装置。
【請求項２】
再生手順変換手段で変換される再生手順情報が再生手順情報の数とストリーム情報中の再生区間情報を示す再生位置情報から構成される、請求項１記載の情報記録装置。
【請求項３】
請求項１に記載のストリーム情報合成手段により合成された第一のファイルから、再生手順情報を抽出する第２の再生手順情報読み出し手段と、
前記第２の再生手順情報読み出し手段で抽出された再生手順情報に基づいて前記第一のファイルに格納されたストリーム情報の再生をおこなうストリーム情報再生手段と、を備えることを特徴とする情報再生装置。
【請求項４】
映像を含むストリーム情報を格納する第一のファイルと、再生手順情報を格納する第二のファイルとから構成されるフォーマットのデータを制御する情報記憶方法であって、
前記第一のファイルからストリーム情報を読み出す第１のステップと、
前記第二のファイルから再生手順情報を読み出す第２のステップと、
前記読み出された再生手順情報を前記読み出されたストリーム情報のフォーマット構成に基づいて変換する第３のステップと、
前記読み出されたストリーム情報内に有する所定の記録領域内に、前記変換作成された再生手順情報を挿入して、同一のファイルとして合成する第４のステップと、
前記ストリーム情報合成手段で作成されたファイルを保存する第５のステップと、
を有することを特徴とする情報記録方法。
【請求項５】
前記第３のステップで変換される再生手順情報が再生手順情報の数とストリーム情報中の再生区間情報を示す再生位置情報から構成される、請求項４記載の情報記録方法。
【請求項６】
請求項４または請求項５に記載のステップを含むプログラム。
【請求項７】
コンピュータに処理を実行させるための請求項６に記載のプログラムを記録した非一時記録媒体。
【発明の詳細な説明】
【技術分野】
【０００１】
本発明はディジタル情報分野における情報変換および情報表示に関するものである。
【背景技術】
【０００２】
近年、光ディスクメディアにテレビ放送番組やビデオカメラでの映像を記録することが多くなってきている。その際には、ＤＶＤ（Ｄｉｇｉｔａｌ  Ｖｅｒｓａｔｉｌｅ  Ｄｉｓｋ）等の記録媒体、および規格を使用して記録されることが多く、左記の規格では記録後の映像データの再生手順を複数定義可能なプレイリスト情報を作成できるようになっており、ディスクメディア上のデータを再生する場合には、ディスク上に記録された順番だけでなく、利用者がより魅力的な再生手順を提供可能なようにプレイリストの作成が可能になっている。
【０００３】
しかしながら、このプレイリスト機能を用いる為には、例えばＤＶＤ−ＶＲ規格の場合には、映像データ（ＶＲＯファイル）に対して様々な再生手順を提供するプレイリスト情報を管理情報ファイル（ＩＦＯファイル）に定義することにより実現しているように、常に映像データと管理情報ファイルを一対で管理する必要があった（例えば、特許文献１参照。）。
【０００４】
このように構成された情報を再生する場合には、映像データと管理情報を一対で管理して再生制御を行う必要があるが、映像データが単独で存在する場合においても、タイムライン的な再生手順だけでなく、複数の魅力的な再生手順を提供できるようにすることが望まれている。
【０００５】
従来の情報記録再生装置及び方法では、他の媒体に保存しなおしたり、コピーしたりする場合においては、光ディスクメディア上に記録されている映像データと管理情報を全て保存してあたかも光ディスクメディア上のデータを扱うかのように振る舞い、様々な再生手順を提供する方法、もしくはディスク上の再生手順情報に基づいて、映像データを再加工して別の映像ファイルとして保存する方法が用いられていた。
【０００６】
以下、従来の技術について図面を用いて説明する。図５および図６は、従来の情報記録再生装置の構成図を示すものである。
【０００７】
図５において、１１は映像を含むストリーム情報を読み出すストリーム情報読み出し手段、１２は管理情報読み出し手段であり、１６は前記１１、１２で読み出された情報を保存する情報保存手段である。この方法の場合には、保存先の情報を用いて映像を再生する場合には、保存前と同じように映像データと管理情報ファイルを一対で管理して再生制御することになる。
【０００８】
図６においては、１１は映像を含むストリーム情報を読み出すストリーム情報読み出し手段、１２は管理情報読み出し手段であり、１３は管理情報からプレイリストなどの再生手順情報を読み出す再生手順読み出し手段、６１は再生手順情報に基づいて必要な部分のみのストリーム情報を抽出加工するストリーム情報加工手段、１６は５１で作成された情報を保存する情報保存手段である。この方法の場合には、ストリーム情報は管理情報中に定義されている中の任意のプレイリスト情報に基づいてストリーム情報自体を加工処理することから、ストリーム情報のみにて必要な再生手順を実行できるが、複数の再生手順を扱うことは困難であった。
【特許文献１】特開２００６−２６０６１１号公報
【発明の開示】
【発明が解決しようとする課題】
【０００９】
従来の情報記録再生装置では、他の媒体に保存しなおしたり、コピーしたりする場合においては、光ディスクメディア上に記録されている映像データと管理情報を全て保存してあたかも光ディスクメディア上のデータを扱うかのように振る舞い、様々な再生手順を提供する方法、もしくはディスク上の再生手順情報に基づいて、映像データを再加工して別の映像ファイルとして保存する方法が用いられていた。しかしながら先の方法では、複数の再生手順を扱う際には、常に映像データと管理情報ファイルを一対で管理する必要があり、また映像データのみで所望の再生手順を実現する場合には、再生上必要となる映像データの抽出加工が必要であった。
【課題を解決するための手段】
【００１０】
上記課題に鑑み、本発明は映像データと管理情報を他の媒体に保存しなおしたり、コピーしたりする場合に、映像データの中に管理情報中の再生手順情報を合成して保存することにより、映像データの再圧縮などの処理負荷の必要な加工処理を行うことなく映像データのみで複数の再生手順を提供可能な情報として成り立たせることを最も主要な特徴とする。
【発明の効果】
【００１１】
これにより、映像データと管理情報を他の媒体に保存しなおしたり、コピーしたりする場合には、映像データ中に再生手順情報が含まれて保存されることから映像データと管理情報を一対として管理することは不要となり管理が簡素化されると共に、映像データを再加工することなく、元映像データと映像データの再生手順情報を保存することから、再圧縮処理などの手順が不要となる為、高速なデータのコピーを実現することが可能である。
【発明を実施するための最良の形態】
【００１２】
（実施の形態）
図１は、本発明の実施の形態１における情報記録再生装置の構成を示すブロック図である。図１において、１１は映像を含むストリーム情報を読み出すストリーム情報読み出し手段、１２は管理情報読み出し手段であり、１３は管理情報からプレイリストなどの再生手順情報を読み出す再生手順読み出し手段、１４は管理情報中の再生手順情報をストリーム情報のフォーマット形式に合わせて変換する再生手順情報変換手段、１５は１１のストリーム情報読み出し手段で読み出された情報と１４の再生手順情報変換手段で作成された情報を合成するストリーム情報合成手段、１６は１５のストリーム情報合成手段で作成された情報を保存する情報保存手段である
図２および図３は実施の形態１におけるストリーム情報合成手段の動作を説明するものである。上記のように構成された実施の形態１の情報記録再生装置の動作について図１および図２を参照しつつ説明する。
【００１３】
１１のストリーム情報読み出し手段では、記録媒体に保存されている映像データなどのストリーム情報の読み出しを行う。例えばＤＶＤ−ＶＲ規格の場合には、映像データ（ＶＲＯファイル）は図２の２１のような構成となっている。また１２の管理情報読み出し手段で読み出された管理情報の中から１３の再生手順読み出し手段によりプレイリスト情報などの再生手順を定義した情報を読み出す。読み出した再生手順情報は１４の再生手順情報変換手段により、ストリーム情報のフォーマット形式に合わせて再構築を行う。そして１５のストリーム情報合成手段により、１１で読み出されたストリーム情報中に１４で作成した再生手順情報が含まれている情報を合成して１６の情報保存手段により保存する。
【００１４】
さらに図２と図３を用いて１４の再生手順情報変換手段および１５のストリーム情報合成手段にＤＶＤ−ＶＲ規格のデータを例にもちいて説明する。
【００１５】
図２の２１はストリーム情報の構成を示している。ＭＰＥＧストリーム情報はＲＤＩ（Ｒｅａｌ−ｔｉｍｅ  Ｄａｔａ  Ｉｎｆｏｒｍａｔｉｏｎ）情報２３、Ｖｉｄｅｏ情報やＡｕｄｉｏ情報などから構成される。ここでＲＤＩ情報とは利用者固有の情報が定義可能なＭＰＥＧ  ｐｒｉｖａｔｅ−ｓｔｒｅａｍである。
【００１６】
１４の再生手順情報変換手段では、読み出された管理情報２２の中に提起されている単一もしくは複数の再生手順情報を２３のＲＤＩ情報中に定義する処理を行う。
【００１７】
図３は、ＲＤＩ情報に記載する再生手順情報のデータ構造の一例を示したものである。データは大きくＲＤＩ情報を識別する為のデータ識別情報ヘッダ３１と再生手順情報３２から構成される。そして３２の再生手順情報は再生手順の総数情報を示す３３の再生手順の数（ｎ）とｎ個の再生手順情報から構成される。再生手順情報３４は再生位置情報の数（ｍ）を示す３５の情報と、ｍ個からなる少なくとも再生位置情報と再生位置情報からの再生サイズ情報を含む３６〜３７の再生位置情報で構成される。
【００１８】
ここで再生位置情報や再生サイズ情報とは、ストリーム情報先頭からのデータサイズを基にした情報や再生時間を基にした情報のことである。
【００１９】
再生手順が複雑になったり、再生手順数が多くなった場合には、データ量的に単一のＲＤＩ情報中に含めることが出来ない場合が考えられる。その場合には、複数のＲＤＩ情報を用いて再生手順情報を構成するものである。
【００２０】
図４を用いて、このように定義された再生手順情報を用いた再生シーケンスを説明する。
【００２１】
３４の再生手順情報＃０１は３つの再生位置情報を持っているものとする。３６の再生位置情報＃０１は、元のストリーム情報２１のどの位置からどれだけのサイズ再生を行うかという再生区間情報が記載されている。また２つ目、３つ目の再生位置情報にもそれぞれ再生区間情報が記載されている。再生時には、３６や３７などの再生位置情報に記載されている再生区間情報を元に元のストリーム情報から必要な部分データのみを読み出して再生制御を行うことになる。
【００２２】
図７は本発明の実施の形態１における情報記録再生方法における処理の流れを示すフローチャート図である。図７においてＳ７０１は情報記録媒体、Ｓ７０２はストリーム情報読み出しステップ、Ｓ７０３はストリーム情報の内部記憶、Ｓ７０４は管理情報の読み出しステップ、Ｓ７０５は管理情報の内部記憶、Ｓ７０６は再生手順情報の読み出しステップ、Ｓ７０７は再生手順情報の内部記憶、Ｓ７０８は再生手順情報の変換ステップ、Ｓ７０９は変換後の再生手順情報の内部記憶、Ｓ７１０は情報の構成ステップ、Ｓ７１１は合成後の情報を記録する媒体である。
【００２３】
Ｓ７０１の情報記録媒体に記録されているストリーム情報は、Ｓ７０２のストリーム読み出しステップにより読み出されて、Ｓ７０３のストリーム情報の内部記憶に保存される。また、Ｓ７０１の情報記録媒体に記録されている管理情報は、Ｓ７０４の管理情報読み出しステップにより読み出されて、Ｓ７０５の管理情報の内部記憶に保存される。そして、Ｓ７０５の管理情報から、Ｓ７０６の再生手順情報読み出しステップにより再生手順情報のみ読み出し、Ｓ７０７の再生手順情報の内部記憶に保存される。さらに、Ｓ７０７の再生手順情報を、Ｓ７０３のストリーム情報のフォーマットに基づいて、Ｓ７０８の再生手順情報変換ステップにより変換処理が行われてＳ７０９の変換後の再生手順情報の内部記憶に保存される。そして、Ｓ７１０の情報合成処理ステップによって、Ｓ７０３のストリーム情報と、Ｓ７０９の変換後の再生手順情報の合成処理がおこなわれて、Ｓ７１１の第２の情報記録媒体に保存される。
【００２４】
図８は、図７のＳ７０８再生手順情報変換ステップの詳細を示したフローチャートである。Ｓ８０１は再生手順の数を取得ステップ、Ｓ８０２は再生手順数の内部記憶、Ｓ８０３は再生区間情報の読み出しステップ、Ｓ８０４は再生区間情報の内部記憶、Ｓ８０５は再生手順情報の変換ステップである。
【００２５】
Ｓ７０７に内部保存された再生手順情報から、Ｓ８０１の再生手順の数取得ステップにより、再生手順数を取得してＳ８０２の再生手順数の内部記憶に保存する。そして、Ｓ８０２の再生手順数の数だけＳ７０７の再生手順情報から、Ｓ８０３の再生区間情報取得ステップにより、再生開始位置と再生長からなる再生区間情報を取得して、Ｓ８０４の再生区間情報の内部記憶に保存する。Ｓ８０２とＳ８０４に内部保存された情報はＳ８０５の再生手順情報変換ステップにより、ストリーム情報に合致したフォーマットに変換されてＳ７０９の変換後の再生手順情報の内部記憶に保存されることになる。
【００２６】
上記のように、映像データと管理情報を他の媒体に保存しなおしたり、コピーしたりする場合に、映像データ中に単一もしくは複数の再生手順情報を含めて保存することから映像データと管理情報を一対として管理することは不要となり管理が簡素化されると共に、映像データを再加工することなく、元映像データと映像データの再生手順情報を保存することから、再圧縮処理などの手順が不要となる為、高速なデータのコピーを実現することが可能である。
【００２７】
なお本実施の形態で示した方法は、コンピュータプログラムによって実現されてもよく、これをＣＤ−ＲＯＭやＤＶＤ等の記録媒体に記録して実施することも可能である。
【産業上の利用可能性】
【００２８】
本発明による情報記録再生装置は、ストリーム情報合成手段をもうけることによりストリーム情報に管理情報を合成処理時のみならず、元映像データに対して再生手順を複数定義可能な構成をとっていることから、映像データのフォーマット形式変換等に複数の再生手順を用いてインタラクティブ性の向上が必要な用途にも適用可能である。
【図面の簡単な説明】
【００２９】
【図１】本発明の実施の形態１における情報記録再生装置の構成を示すブロック図
【図２】ＤＶＤ−ＶＲ規格でのストリーム情報および管理情報の説明図
【図３】ＲＤＩ情報中の再生手順情報を構成説明図
【図４】ＲＤＩ情報の再生手順情報を用いた再生状態の説明図
【図５】従来の情報変換装置の構成情報読み出し処理を示すブロック図
【図６】従来の情報変換装置の構成ストリーム情報変換処理を示すブロック図
【図７】本発明の実施の形態１における情報記録再生方法の処理の流れを示すチャート
【図８】実施の形態１の情報記録再生方法の、再生情報変換の処理の流れを示すチャート
【符号の説明】
【００３０】
１１    ストリーム情報読み出し手段
１２    管理情報読み出し手段
１３    再生手順読み出し手段
１４    再生手順情報変換手段
１５    ストリーム情報合成手段
１６    情報保存手段
【図１】
0005012537.tif 000002
【図２】
0005012537.tif 000003
【図３】
0005012537.tif 000004
【図４】
0005012537.tif 000005
【図５】
0005012537.tif 000006
【図６】
0005012537.tif 000007
【図７】
0005012537.tif 000008
【図８】
0005012537.tif 000009